(57)【特許請求の範囲】
【請求項１】
ビデオスコープが接続され、該ビデオスコープをビデオプロセッサに着脱自在に取り付ける内視鏡のコネクタ装置において、
装置本体の側面に形成された取付孔と、
前記装置本体の内部に配設されたチューブの端部に取り付けられ、該チューブを装置本体に固定する固定部材と、
前記装置本体の外部に配設されたチューブの端部に取り付けられ、前記固定部材と螺合可能なチューブ接続管と、
前記固定部材を前記装置本体の絶縁板に取り付けるとともに、前記絶縁板との間に径方向及び軸方向にガタを有する段付ビスとを備え、
前記取付孔を介して前記チューブ接続管を前記固定部材に螺合させる際、前記段付ビスの径方向のガタを利用して前記チューブ接続管の径方向の位置決めを行うとともに、前記螺合を締め付けることにより、前記固定部材を前記チューブ接続管側に引き寄せて前記段付ビスの軸方向のガタを除去することを特徴とする内視鏡のコネクタ装置。
【請求項２】
請求項１に記載の内視鏡のコネクタ装置において、
前記チューブ接続管には、装置本体外から供給される空気及び洗浄水を装置本体内を介して被観察物へ送る送気・送水チューブや、被観察物を洗浄後の水等を吸引する吸引チューブが接続されることを特徴とする内視鏡のコネクタ装置。
【発明の詳細な説明】
【０００１】
【発明の属する技術分野】
本発明は内視鏡のコネクタ装置に係り、特に、ビデオスコープをビデオプロセッサに着脱自在に取り付けるためのコネクタ装置に関する。
【０００２】
【従来の技術】
内視鏡においては、ビデオスコープにコネクタ装置が接続され、使用時には、このコネクタ装置がビデオプロセッサの所定の箇所に取り付けられる。その状態を図５に示す。図５において、コネクタ装置１はビデオプロセッサ２のコネクタ差込口３に取り付け可能である。このコネクタ装置１にはビデオスコープが接続されている。
【０００３】
コネクタ装置１の側面には送気送水口金４が設けられ、この送気送水口金４には送気・送水チューブ５が接続される。図には示してないが、コネクタ装置１の内部にも送気送水口金４に接続された送気・送水チューブが設けられており、この送気・送水チューブはビデオスコープ内に配設されている。そして、ビデオプロセッサ２の横方に設置された送水タンク６から、送気・送水チューブ５を介して空気及び洗浄水が送気送水口金４に供給され、更にその空気及び洗浄水はコネクタ装置１の内部を通ってビデオスコープ側に送られる。
【０００４】
また、コネクタ装置１の側面には、送気送水口金５の反対側に吸引ニップル７（図６参照）が設けられ、この吸引ニップル７には吸引チューブ８が取り付けられる。そして、被観察物を洗浄後の水等を吸引チュ−ブ８を介して吸引することができる。
【０００５】
図６は上記コネクタ装置１を上方向から見たときの断面図である。コネクタ装置１の内部にはシャーシ１０，１１が設けられ、これらシャーシ１０，１１の外側は樹脂製のケース１２で覆われている。そして、ケース１２の両側面に送気送水口金４及び吸引ニップル７が設けられている。
【０００６】
送気送水口金４は取り外し可能である。すなわち、送気送水口金４には、図７（図６のＡ部の拡大図）に示すようにネジ部４Ａが形成され、このネジ部４Ａは、送気送水シリンダ固定部材１３に形成されたネジ部１３Ａに螺合しており、その螺合を解くことにより、送気送水口金４を取り外すことができる。また、送気送水シリンダ固定部材１３には、送気・送水チュ−ブ５の先端を保持する送気送水シリンダ１４が固定されている。送気送水シリンダ固定部材１３は、シャーシ１１に固定された絶縁板１６に、ビス１７によって取り付けられている。絶縁板１６は樹脂などの電気的絶縁部材で形成されている。またビス１７は４カ所に設けられている（図９参照）。なお図７において、１８はワッシャ、１９はＯリングである。
【０００７】
吸引ニップル７も取り外し可能である。図６において、吸引ニップル７は吸引ニップル固定部材２０に固定されている。また、図には示してないが、吸引ニップル固定部材２０の内周面にはネジ部が形成され、このネジ部は、吸引シリンダ２１の外周面に形成されたネジ部と螺合している。そして、この螺合を解くことにより、吸引ニップル７を吸引ニップル固定部材２０と共に取り外すことができる。吸引シリンダ２１は吸引チュ−ブ８の先端を保持するとともに、シャーシ１１に固定された絶縁板２２に、ビス２３（図８及び図１０参照）によって取り付けられている。絶縁板２２も樹脂などの電気的絶縁部材で形成されている。ビス２３は４カ所に設けられている。
【０００８】
ところで、シャーシ１０，１１をケース１２に組み付ける際には、既にシャーシ１１には、送気送水シリンダ固定部材１３及び送気送水シリンダ１４がビス１７によって絶縁板１６に取り付けられ、また、吸引シリンダ２１がビス２３によって絶縁板２２に取り付けられている。一方、ケース１２には、送気送水シリンダ１４に対応する位置に取付孔１２Ａが、吸引シリンダ２１に対応する位置に取付孔１２Ｂがそれぞれ形成されている。
【０００９】
しかし、送気送水シリンダ１４や吸引シリンダ２１の取付位置は、通常、取付誤差によって、ケース１２に形成された取付孔１２Ａ，１２Ｂからは多少ずれており、シャーシ１０，１１をケース１２に組み付ける時、送気送水シリンダ１４や吸引シリンダ２１の位置決め調整を行う必要がある。
【００１０】
上記従来のコネクタ装置では、このような位置決め調整をダミーケースを用いて行っている。図８はダミーケース３０をシャーシ１０，１１に被せた様子を示している。また図９は図８をＢ方向から見た様子を、図１０は図８をＣ方向から見た様子をそれぞれ示している。シャーシ１１には送気送水シリンダ１４と吸引シリンダ２１が取り付けられている。ダミーケース３０には所定の箇所に送気送水シリンダ取付位置決め用孔３０Ａと吸引シリンダ取付位置決め用孔３０Ｂが形成されている。送気送水シリンダ取付位置決め用孔３０Ａは略円形状をなしており、その周縁部の４カ所にはドライバＤが挿通される小孔３０ａが形成されている。また、吸引シリンダ取付位置決め用孔３０Ｂも略円形状をなしており、その周縁部の４カ所にドライバＤが挿通される小孔３０ｂが形成されている。
【００１１】
上記構成のダミーケース３０を用いて、送気送水シリンダ１４や吸引シリンダ２１の位置決め調整を行う場合は、以下のようにして行われる。
まず、図８のように、シャーシ１０，１１にダミーケース３０を被せる。このとき、ビデオスコープ側は取り外されている。ダミーケース３０を被せた後、ビデオスコープ側の例えばライトガイドケーブル接続部材３１を固定ネジ３２によりシャーシ１１に固定する。
【００１２】
次に、外部よりドライバＤを小孔３０ａに挿通してビス１７を緩めるとともに、ドライバＤを小孔３０ｂにも挿通してビス２３を緩める。これにより、送気送水シリンダ１４及び吸引シリンダ２１は径方向と軸方向に多少ガタ（遊び）が生じる。径方向のガタは、図７におけるｄ２−ｄ１に等しい。
【００１３】
この状態で、ダミーケース３０の送気送水シリンダ取付位置決め用孔３０Ａ又は吸引シリンダ取付位置決め用孔３０Ｂに、外部から図示していない位置出し治具を取り付ける。このとき、送気送水シリンダ１４及び吸引シリンダ２１には多少のガタが生じているので、位置出し治具によって送気送水シリンダ１４と吸引シリンダ２１の位置決めを容易に行うことができる。
【００１４】
位置出し治具による送気送水シリンダ１４及び吸引シリンダ２１の位置決めがなされたら、ドライバＤによりビス１７，２３を締め付けて送気送水シリンダ１４及び吸引シリンダ２１を固定するとともに、位置出し治具やダミーケース３０などを取り外す。そして更に、ケース１２をシリンダ１０，１１に被せるとともに、取付孔１２Ａには送気送水口金４を取り付け、取付孔１２Ｂには吸引ニップル７を吸引ニップル固定部材２０と共に取り付ける。
【００１５】
【発明が解決しようとする課題】
しかしながら従来の技術では、上述したように、個々のコネクタ装置についてダミーケースを被せ、更に位置出し治具を取り付けて、送気送水シリンダや吸引シリンダの位置決め調整を行ってからでないと、送気送水口金や吸引ニップルを連結することができず、その調整作業に時間が掛かってしまい、生産性が低下するという欠点がある。
また、ダミーケースや位置出し治具を用意しなければならないので、コストアップの要因ともなっている。
【００１６】
本発明の目的は、特別な治具を用いて位置決め調整を行わなくても、装置本体に口金やニップル等を連結することのできる内視鏡のコネクタ装置を提供することである。
【００１７】
【課題を解決するための手段】
上記目的を達成するために、請求項１に記載の発明は、ビデオスコープが接続され、該ビデオスコープをビデオプロセッサに着脱自在に取り付ける内視鏡のコネクタ装置において、装置本体の側面に形成された取付孔と、前記装置本体の内部に配設されたチューブの端部に取り付けられ、該チューブを装置本体に固定する固定部材と、前記装置本体の外部に配設されたチューブの端部に取り付けられ、前記固定部材と螺合可能なチューブ接続管と、前記固定部材を前記装置本体の絶縁板に取り付けるとともに、前記絶縁板との間に径方向及び軸方向にガタを有する段付ビスとを備え、前記取付孔を介して前記チューブ接続管を前記固定部材に螺合させる際、前記段付ビスの径方向のガタを利用して前記チューブ接続管の径方向の位置決めを行うとともに、前記螺合を締め付けることにより、前記固定部材を前記チューブ接続管側に引き寄せて前記段付ビスの軸方向のガタを除去することを特徴としている。
【００１８】
上記構成によれば、絶縁板との間に段付ビスに径方向及び軸方向に予めガタを持たせてあるので、チューブ接続管を固定部材に連結するときに、そのチューブ接続管の先端部を係合させて固定部材を外部からの操作で移動させることが可能となり、特別な治具を用いなくても固定部材の位置決め調整をワンタッチで行うことができる。
【００２０】
請求項２に記載の発明は、請求項１において、前記チューブ接続管には、装置本体外から供給される空気及び洗浄水を装置本体内を介して被観察物へ送る送気・送水チューブや、被観察物を洗浄後の水等を吸引する吸引チューブが接続されることを特徴としている。
【００２２】
【発明の実施の形態】
以下、本発明の実施の形態を図面に従って説明する。なお、従来技術と同一の箇所には同一の符号を記すこととする。
図１は本発明に係るコネクタ装置の一部を断面で示した正面図、図２は図１のコネクタ装置を上方向から見た断面図である。図１及び図２において、コネクタ装置１の内部には、四角形状に折り曲げられた板状部材からなるシャーシ１０，１１が設けられている。シャーシ１０の内部には、基板取付部材４０により支持された回路基板４１が収納されている。また回路基板４１を収納したシャーシ１０の開口部両面にはシャーシカバー４２が取り付けられている。
【００２３】
コネクタ装置１の一側（図の左側）には、ビデオプロセッサ２のコネクタ差込口３に差し込まれるコネクタ４３が設けられている。コネクタ４３はコネクタケース４４内に固定され、コネクタ４３に設けられたケーブル類４５は回路基板４１に接続されている。
【００２４】
コネクタケース４４には樹脂製の蓋４６が取り付けられ、この蓋４６は、シャーシ１０の端部に設けられた絶縁部材４７に固定ネジ４８により固定されている。絶縁部材４７によって、コネクタケース４４とシャーシ１０とは電気的に絶縁されている。また、シャーシ１０，１１に樹脂製のケース１２を被せたとき、ケース１２の先端部は蓋４６に当接するようになっている。
【００２５】
シャーシ１０，１１間には絶縁部材４９が設けられ、シャーシ１０とシャーシ１１とは電気的に絶縁されている。また、シャーシ１０とシャーシ１１とは絶縁部材４９を介してビス５０によって結合されている。シャーシ１１には絶縁板１６，２２がビス５１によって取り付けられている。そして、絶縁板１６には送気送水シリンダ固定部材１３及び送気送水シリンダ１４が、絶縁板２２には吸引シリンダ２１がそれぞれ取り付けられている。
【００２６】
コネクタ装置１の他側（図の右側）にはライトガイドケーブル接続部材３１が設けられ、このライトガイドケーブル接続部材３１は固定ネジ３２によりシャーシ１１に固定されている。なお、５２は光源用差込口であり、ライトガイドケーブル接続部材３１内のライトガイドケーブルにつながっている。さらに、５３は通気口金、５４は帰還端子で、いずれもケース１２の取り付けられている。
【００２７】
また、ケース１２と送気送水口金４との間、ケース１２と吸引ニップル固定部材２０との間、吸引ニップル固定部材２０と吸引ニップル７との間、ケース１２とライトガイドケーブル接続部材３１との間、ケース１２と通気口金５３との間、ケース１２と帰還端子５４との間、ケース１２と蓋４６との間、及び蓋４６とコネクターケース４４との間などにはＯリングが設けられ、ケース１２の内部は水密的になっている。
【００２８】
ここで、送気送水シリンダ固定部材１３及び送気送水シリンダ１４の取付構造について、図３を用いて詳細に説明する。
図３は、図２のＥ部の拡大図である。図３に示すように、送気・送水チュ−ブ５の先端を保持する送気送水シリンダ１４は、送気送水シリンダ固定部材１３に固定されている。送気送水シリンダ固定部材１３の内周面にはネジ部１３Ａが形成され、このネジ部１３Ａは、送気送水口金４の内周面に形成されたネジ部４Ａと螺合している。したがって、送気送水口金４を回転操作して螺合を解くことにより、送気送水口金４は取り外すことが可能である。
【００２９】
本実施の形態では、送気送水シリンダ固定部材１３を段付ビス５５によって絶縁板１６に取り付けたところに特徴がある。段付ビス５５は、図３に示すように、大径部５５Ａと小径部５５Ｂを有し段付構造となっている。ネジ部は小径部５５Ｂにのみ形成され、この小径部５５Ｂが、送気送水シリンダ固定部材１３にネジ結合されている。段付ビス５５は図１に示すように４カ所に設けられている。
【００３０】
絶縁板１６の板厚をＬ１としたとき、段付ビス５５の大径部５５Ａの長さＬ２はＬ１より僅かに大きく形成され、その差ｔ（＝Ｌ２−Ｌ１）が送気送水口金４の軸方向のガタ（遊び）となる。また、絶縁板１６に形成された貫通孔１６Ａの内径をｄ４としたとき、段付ビス５５の大径部５５Ａの外径ｄ３はｄ４より僅かに小さく形成され、その差（ｄ４−ｄ３）が送気送水口金４の径方向のガタ（遊び）となる。
【００３１】
このように、送気送水口金４の径方向と軸方向にガタが形成されていると、送気送水口金４に対する送気送水シリンダ１４の位置決めをワンタッチで行うことができる。すなわち、送気送水口金４をケース１２の取付孔１２Ａに挿入し、外部から操作して送気送水口金４の中心軸の向きを微妙に変化させれば、送気送水口金４の先端は送気送水シリンダ固定部材１３に係合する。そして、送気送水口金４の径方向と軸方向にガタが形成されていると、送気送水口金４を操作することにより、送気送水シリンダ固定部材１３と共に送気送水シリンダ１４が容易に移動するので、送気送水シリンダ１４を取付孔１２Ａにワンタッチで位置決めすることができる。
【００３２】
送気送水シリンダ１４の位置決めがなされたら、送気送水口金４のネジ部４Ａを送気送水シリンダ固定部材１３のネジ部１３Ａに螺合させる。この場合も、送気送水口金４の径方向と軸方向にガタが形成されていると、送気送水口金４を送気送水シリンダ固定部材１３の先端に合わせるだけで、ネジ部４Ａと１３Ａとを容易に噛み合わせることができる。そして所定量締め付けると、送気送水口金４はケース１２に当接して所定以上は移動できないために、送気送水シリンダ固定部材１３が送気送水シリンダ１４と共に送気送水口金４側に引き寄せられる。その様子を図４に示す。
【００３３】
送気送水シリンダ固定部材１３が送気送水口金４側に引き寄せられたとき、絶縁板１６はシャーシ１１に固定されており移動できないため、段付ビス５５だけが移動することになり、軸方向の前記ガタが除去される。このとき、ワッシャ１８は送気送水口金４の先端に当接して移動できず、ワッシャ１８と段付ビス５５の頭部との間に隙間ｔが形成される。また、送気送水シリンダ固定部材１３が送気送水口金４側に引き寄せられると、送気送水シリンダ固定部材１３は絶縁板１６に密着して移動できなくなるので、径方向のガタも除去される。
【００３４】
また、吸引ニップル７と共に吸引ニップル固定部材２０を吸引シリンダ２１に取り付けるためのビス（従来技術のビス２３に相当）も段付ビスとし、送気送水口金４の接続と同様になっている。この段付ビスも４カ所に設けられている。この吸引ニップル７側の段付ビスは、上述した送気送水口金４側の段付ビス５５と同じ構成であるので、その詳細な説明は省略する。
【００３５】
なお、本実施の形態では、送気送水口金４又は吸引ニップル７がチューブ接続管を構成している。
【００３６】
【発明の効果】
以上説明したように、本発明によれば、絶縁板との間に段付ビスに径方向及び軸方向に予めガタを持たせてあるので、特別な治具を用いなくても、チューブ接続管を固定部材にワンタッチで連結することができる。その結果、面倒な位置決め調整が不要となり、生産性を向上させることが可能となる。
【００３７】
また前記ガタは、固定部材にチューブ接続管が連結されたときに除去されるため、チューブ接続管を装置本体に強固に固定することができる。
【図面の簡単な説明】
【図１】本発明に係るコネクタ装置の一部を断面で示した正面図である。
【図２】図１のコネクタ装置を上方向から見た断面図である。
【図３】図２のＥ部を拡大したもので、送気送水口金を締め付ける前の様子を示した図である。
【図４】図２のＥ部を拡大したもので、送気送水口金を締め付けた後の様子を示した図である。
【図５】ビデオプロセッサの所定箇所に取り付けられるコネクタ装置の斜視図である。
【図６】従来のコネクタ装置を上方向から見た断面図である。
【図７】図６のＣ部の拡大図である。
【図８】ダミーケースを被せたときの、コネクタ装置を上方向から見た断面図である。
【図９】図８をＢ方向から見た側面図である。
【図１０】図８をＣ方向から見た側面図である。
【符号の説明】
１  コネクタ装置
２  ビデオプロセッサ
４  送気送水口金
５  送気・送水チューブ
７  吸引ニップル
８  吸引チュ−ブ
１０，１１  シャーシ
１３  送気送水シリンダ
１４  送気送水シリンダ固定部材
１６，２２  絶縁板
２０  吸引ニップル固定部材
２１  吸引シリンダ
５５  段付ビス
【図１】
0003967434.tif 000002
【図２】
0003967434.tif 000003
【図３】
0003967434.tif 000004
【図４】
0003967434.tif 000005
【図５】
0003967434.tif 000006
【図６】
0003967434.tif 000007
【図７】
0003967434.tif 000008
【図８】
0003967434.tif 000009
【図９】
0003967434.tif 000010
【図１０】
0003967434.tif 000011